(57)【要約】【課題】この発明は、光漏れ現象の発生を抑えて、見やすく、明確な透光性パターンを表示できるマンコンベアの表示装置を得る。【解決手段】表示装置１０は、欄干パネルに意匠面を外側に向けて配設された表示部１１を備え、表示部１１は、矢印７ａ，７ｂの透光性パターンが形成されたパターンパネル１３と、パターンパネル１３の表面に重ねられて意匠面を構成する意匠面パネル１２と、透光性パターンのそれぞれと相対するようにパターンパネル１３の裏面に重ねられて、互いに離間して配設される着色パネル１５ａ，１５ｂと、着色パネル１５ａ，１５ｂ間に配設されて着色パネル１５ａ，１５ｂ間の光路を遮断する遮光部材１６と、着色パネル１５ａ，１５ｂのそれぞれの裏面側に配設された光源１８ａ，１８ｂと、光源１８ａ，１８ｂ間を仕切るとともに、遮光部材１６に接するように配設された仕切り板と、を備えている。【選択図】図２
2014227280.tif 000002
【特許請求の範囲】
【請求項１】
欄干パネルに意匠面を外側に向けて配設された表示部を備えたマンコンベアの表示装置において、
上記表示部は、
複数の透光性パターンが形成されたパターンパネルと、
上記パターンパネルの表面に重ねられて上記意匠面を構成する意匠面パネルと、
上記複数の透光性パターンのそれぞれと相対するように上記パターンパネルの裏面に重ねられて、互いに離間して配設される複数の着色パネルと、
隣り合う上記着色パネル間に配設されて上記隣り合う着色パネル間の光路を遮断する遮光部材と、
上記複数の着色パネルのそれぞれの裏面側に配設された複数の光源と、
上記複数の光源間を仕切るとともに、上記遮光部材に接するように配設された仕切り板と、を備えたことを特徴とするマンコンベアの表示装置。
【請求項２】
上記パターンパネルは、上記複数の透光性パターンのいずれかの上記透光性パターンが形成された複数のパターンパネル体に分割され、
上記複数のパターンパネル体は、上記意匠面パネルの裏面に重ねられて互いに離間して配設され、
上記複数の着色パネルが、上記複数のパターンパネル体のそれぞれの裏面に重ねられて配設され、
上記遮光部材が、隣り合う上記パターンパネル体と上記着色パネルの積層体間に配設されて、隣り合う上記パターンパネル体間および隣り合う上記着色パネル間の光路を遮断することを特徴とする請求項１記載のマンコンベアの表示装置。
【発明の詳細な説明】
【技術分野】
【０００１】
この発明は、エスカレータや動く歩道などのマンコンベアの欄干パネルに設置されるマンコンベアの表示装置に関するものである。
【背景技術】
【０００２】
従来のマンコンベアの表示装置は、本体部および透光可能な表示体を備えた表示部を欄干パネルのステップ側に配置し、表示部を挟んだ欄干パネルの裏側にランプを配置して構成されていた（例えば、特許文献１参照）。
【０００３】
この従来のマンコンベアの表示装置には、詳細に記載されていないが、表示体のランプ側の表面に、透光表示する矢印パターンを残すように遮光部材を形成し、ランプの光を矢印パターンのみを透光させて、マンコンベアの運転方向を矢印表示している、と推考される。
【０００４】
そして、双方向の運転が行われるマンコンベアに従来のマンコンベアの表示装置を適用した場合には、矢印方向を逆方向とする２つの矢印パターンを表示体に形成し、２つの矢印パターンを挟んだ欄干パネルの裏側にそれぞれランプを配置し、マンコンベアの運転方向に合わせてランプを点灯させて、運転方向を矢印表示することになる。
【先行技術文献】
【特許文献】
【０００５】
【特許文献１】特開昭６３−２５２８９８号公報
【発明の概要】
【発明が解決しようとする課題】
【０００６】
このように、双方向の運転が行われるマンコンベアに従来のマンコンベアの表示装置を適用した場合には、ランプが欄干パネルの裏側に隣接して配置されるので、点灯されたランプの光が、消灯されるべき矢印パターン側に漏れて、消灯されるべき矢印パターンが点灯して、利用者に見えてしまうという問題がある。
【０００７】
この問題を解消するために、遮光性の仕切り板を欄干パネルの裏側のランプ間に配置することも考えられる。しかしながら、点灯されたランプから欄干パネルに入射した光が欄干パネルの表面と裏面との間で反射を繰り返しながら、消灯されるべき矢印パターン側に侵入する。この光漏れ現象により、消灯されるべき矢印パターンの端部が明るくなり、点灯されるべき矢印パターンの形状が不明瞭となるという問題がある。
【０００８】
本発明は、このような課題を解決するためになされたものであり、光漏れ現象の発生を抑えて、見やすく、明確な透光性パターンを表示できるマンコンベアの表示装置を得ることを目的とする。
【課題を解決するための手段】
【０００９】
本発明に係るマンコンベアの表示装置は、欄干パネルに意匠面を外側に向けて配設された表示部を備え、上記表示部は、複数の透光性パターンが形成されたパターンパネルと、上記パターンパネルの表面に重ねられて上記意匠面を構成する意匠面パネルと、上記複数の透光性パターンのそれぞれと相対するように上記パターンパネルの裏面に重ねられて、互いに離間して配設される複数の着色パネルと、隣り合う上記着色パネル間に配設されて上記隣り合う着色パネル間の光路を遮断する遮光部材と、上記複数の着色パネルのそれぞれの裏面側に配設された複数の光源と、上記複数の光源間を仕切るとともに、上記遮光部材に接するように配設された仕切り板と、を備えている。
【発明の効果】
【００１０】
本発明によれば、遮光部材が隣り合う着色パネル間に配設されて隣り合う着色パネル間の光路を遮断している。そこで、隣り合う着色パネルの一方の着色パネルに入射し、一方の着色パネルの表面と裏面との間で反射を繰り返しながら他方の着色パネル側に移動する光が、遮光部材により遮断される。これにより、一方の着色パネルから他方の着色パネルに移動して他方の着色パネル側の透光性パターンを通過する光漏れ現象の発生が抑制され、一方の着色パネル側の透光性パターンが見やすく、かつ明確に表示される。
【図面の簡単な説明】
【００１１】
【図１】この発明の実施の形態１に係るエスカレータの乗降口周りを模式的に示す要部斜視図である。
【図２】この発明の実施の形態１に係るエスカレータの表示装置の構成を説明する模式図である。
【図３】この発明の実施の形態１に係るエスカレータの表示装置の表示部を示す構成図である。
【図４】この発明の実施の形態１に係るエスカレータの表示装置の表示部の主要部を外側から見た斜視図である。
【図５】図３のＡ部の拡大図である。
【図６】図３のＡ部の分解斜視図である。
【図７】この発明の実施の形態１に係るエスカレータの表示装置における表示例を示す模式図である。
【図８】この発明の実施の形態１に係るエスカレータの表示装置における光の挙動を説明する図である。
【図９】比較例としてのエスカレータの表示装置における光の挙動を説明する図である。
【図１０】比較例における表示例を示す図である。
【図１１】この発明の実施の形態２に係るエスカレータの表示装置における光の挙動を説明する図である。
【発明を実施するための形態】
【００１２】
以下、本発明のマンコンベアの好適な実施の形態について図面を用いて説明する。
【００１３】
実施の形態１．
図１はこの発明の実施の形態１に係るエスカレータの乗降口周りを模式的に示す要部斜視図、図２はこの発明の実施の形態１に係るエスカレータの表示装置の構成を説明する模式図、図３はこの発明の実施の形態１に係るエスカレータの表示装置の表示部を示す構成図、図４はこの発明の実施の形態１に係るエスカレータの表示装置の表示部の主要部を外側から見た斜視図、図５は図３のＡ部の拡大図、図６は図３のＡ部の分解斜視図、図７はこの発明の実施の形態１に係るエスカレータの表示装置における表示例を示す模式図である。
【００１４】
図１において、マンコンベアとしてのエスカレータ１は、無端状に連結されて乗降口間に配置され、駆動装置（図示せず）により駆動されて循環走行して乗客を運ぶ踏段３と、踏段３の移動経路に沿って踏段３の移動経路の両側に設けられた一対のスカートガード４と、一対のスカートガード４のそれぞれの上部に立設された一対の欄干パネル５と、一対の欄干パネル５のそれぞれの周縁部に装着され、踏段３と同期して循環走行する無端状の移動手摺り６と、欄干パネル５の乗降口近傍に配設され、エスカレータ１の運転方向を矢印表示する表示装置１０と、を備える。
【００１５】
つぎに、表示装置１０の構成について図２から図６を用いて説明する。
【００１６】
表示装置１０は、図２に示されるように、欄干パネル５に設置される表示部１１と、後述する光源部１７の点灯／消灯を制御する制御部２１と、を備える。
【００１７】
表示部１１は、図４から図６に示されるように、意匠面パネル１２と、意匠面パネル１２の裏面に配設されたパターンパネル１３と、パターンパネル１３の裏面に配設された一対の着色パネル１５ａ，１５ｂと、遮光部材１６と、光源部１７と、仕切り板２０と、を備えている。
【００１８】
意匠面パネル１２は、例えばスモーク入りのアクリル板で作製されて、表示装置１０の最外周に位置している。
パターンパネル１３は、例えばアクリル板で作製され、光不透過部１４が、その裏面の全面に、矢印７ａ，７ｂの形成位置を残して、光不透過材料を印刷などを用いて塗布、硬化して形成されている。これにより、逆向きの矢印７ａ，７ｂの透光性パターンがパターンパネル１３に形成される。
【００１９】
着色パネル１５ａ，１５ｂは、例えばアクリル板で作製され、パターンパネル１３の裏面に、それぞれ、矢印７ａ，７ｂと相対して、かつ互いに離間するように配設される。着色パネル１５ａ，１５ｂには、光源部１７から入射した光を散乱する目的から、緑色やオレンジ色などの褐色系の色を用いている。
遮光部材１６は、光不透過材料で作製され、パターンパネル１３の裏面の矢印７ａ，７ｂ間の中央位置に、一対の着色パネル１５ａ，１５ｂ間に挟まれるように配設され、一対の着色パネル１５ａ，１５ｂ間の光路を遮断する。
【００２０】
光源部１７は、図３に示されるように、それぞれ、ランプなどで構成され、矢印７ａ，７ｂのそれぞれに対応して、着色パネル１５ａ，１５ｂの裏面側に配設される２つの光源１８ａ，１８ｂと、光源１８ａ，１８ｂを収容するケース１９と、を備える。
仕切り板２０は、光不透過部材により板状に作製され、光源１８ａ，１８ｂ間を分離し、かつ遮光部材１６に接するようにケース１９内に配設されている。
【００２１】
このように構成された意匠面パネル１２、パターンパネル１３および一対の着色パネル１５ａ，１５ｂが重ねられて一体化され、さらに光源部１７が一対の着色パネル１５ａ，１５ｂの裏面側に一体に組み付けられ、表示部１１が構成される。
【００２２】
エスカレータ１においては、このように一体化された表示部１１が、例えば、欄干パネル５の乗降口側の面に形成された凹部５ａ内に、意匠面パネル１２を乗降口側に向けて収納され、ボルトや接着剤により欄干パネル５に固定、支持される。そして、表示装置１０の制御部２１が、例えば、エスカレータ１の運転を制御する制御装置（図示せず）に内蔵されている。
【００２３】
そして、エスカレータ１が運転停止の場合は、図７の（ａ）に示されるように、光源部１７の光源１８ａ，１８ｂが消灯され、利用者が矢印７ａ，７ｂの透光性パターンを目視確認できないようになっている。
ついで、エスカレータ１が上り運転の場合は、光源部１７の光源１８ａが消灯され、光源１８ｂが点灯される。そこで、図７の（ｂ）に示されるように、矢印７ｂの透光性パターンが欄干パネル５の乗降口近傍に表示され、利用者が矢印７ｂの透光性パターンを目視確認し、エスカレータ１が上り運転であることを識別できる。
また、エスカレータ１が下り運転の場合は、光源部１７の光源１８ｂが消灯され、光源１８ａが点灯される。そこで、図７の（ｃ）に示されるように、矢印７ａの透光性パターンが欄干パネル５の乗降口近傍に表示され、利用者が矢印７ａの透光性パターンを目視確認し、エスカレータ１が下り運転であることを認識できる。
【００２４】
つぎに、表示装置１０による効果について図８から図１０を用いて説明する。図８はこの発明の実施の形態１に係るエスカレータの表示装置の表示部における光の挙動を説明する図、図９は比較例としてのエスカレータの表示装置の表示部における光の挙動を説明する図、図１０は比較例における表示例を示す図である。なお、比較例の表示装置の表示部１００は、遮光部材１６が省略され、一対の着色パネル１５ａ，１５ｂに替えて１枚物の着色パネル１５を用いている点を除いて、本表示装置１０と同様に構成されている。
【００２５】
比較例の表示装置の表示部１００では、図９に示されるように、光源１８ａから着色パネル１５内の仕切り板２０側に入射した光は、着色パネル１５の表面と裏面（光不透過部１４）との間で反射を繰り返しながら、消灯している光源１８ｂ側に移動する。このとき、着色パネル１５の表面および裏面の垂線に対する光の角度（入射角度）が比較的大きいので、光は、着色パネル１５の表面および裏面との間で反射を繰り返して強度を弱めながらも、光源１８ｂ側に移動し、光不透過部１４のない領域（矢印７ｂ）からパターンパネル１３および意匠面パネル１２を通過し、光漏れ現象を発生する。
【００２６】
また、光源１８ａから着色パネル１５内に入射し、光不透過部１４のない領域（矢印７ａ）を通過した光のほとんどが、パターンパネル１３および意匠面パネル１２を通過する。そして、光不透過部１４のない領域（矢印７ａ）を通過した光の一部が、パターンパネル１３の表面と裏面との間で反射を繰り返す。しかし、この光は、着色パネル１５の表面および裏面に対する光の入射角度が比較的小さいので、光源１８ｂ側には移動しにくく、かつ着色パネル１５の表面および裏面との間で反射を繰り返して強度が弱まり、光漏れ現象の発生に対する寄与は小さい。
【００２７】
これにより、比較例の表示部１００においては、図１０に示されるように、この光漏れ現象により、矢印７ｂの透光性パターンの矢印７ａ側の端部が薄くひかり、点灯側の矢印７ａの透光性パターンの形状を害してしまうことがわかる。
【００２８】
本表示装置１０では、図８に示されるように、光源１８ａから着色パネル１５ａ内の仕切り板２０側に入射した光は、着色パネル１５の表面と裏面（光不透過部１４）との間で反射を繰り返しながら、消灯している光源１８ｂ側に移動しようとする。しかし、着色パネル１５ａ，１５ｂ間に配設されている遮光部材１６が、消灯している光源１８ｂ側、すなわち着色パネル１５ｂ側への光の移動を阻止する。
【００２９】
また、光源１８ａから着色パネル１５ａ内に入射し、光不透過部１４のない領域（矢印７ａ）を通過した光のほとんどが、パターンパネル１３および意匠面パネル１２を通過する。そして、光不透過部１４のない領域（矢印７ａ）を通過した光の一部が、パターンパネル１３の表面と裏面との間で反射を繰り返す。しかし、この光は、比較例と同様に、着色パネル１５の表面および裏面に対する光の入射角度が比較的小さいので、光源１８ｂ側には移動しにくく、かつ着色パネル１５の表面および裏面との間で反射を繰り返して強度が弱まり、光漏れ現象の発生に対する寄与は小さい。
【００３０】
このように、実施の形態１によれば、光漏れ現象の発生に大きく寄与する着色パネル１５ａから着色パネル１５ｂ側（消灯している光源１８ｂ側）への光の移動が確実に阻止されるので、表示部１１に表示される透光性パターンが明確となり、利用者に表示内容を明確に知らせることができる。
また、意匠面パネル１２がスモーク入りのアクリル板で作製されているので、光漏れした光が見えにくくなり、表示部１１に表示される透光性パターンがより明確となる。
【００３１】
実施の形態２．
図１１はこの発明の実施の形態２に係るエスカレータの表示装置における光の挙動を説明する図である。
【００３２】
図１１において、表示部１１Ａは、意匠面パネル１２と、意匠面パネル１２の裏面に並んで配設された一対のパターンパネル体１３ａ，１３ｂと、一対のパターンパネル体１３ａ，１３ｂのそれぞれの裏面に配設された一対の着色パネル１５ａ，１５ｂと、遮光部材１６と、光源部１７と、仕切り板２０と、を備えている。
【００３３】
パターンパネル体１３ａは、例えばアクリル板で作製され、光不透過部１４が、その裏面の全面に、矢印７ａの形成位置を残して、光不透過材料を印刷などを用いて塗布、硬化して形成されている。パターンパネル体１３ｂは、例えばアクリル板で作製され、光不透過部１４が、その裏面の全面に、矢印７ｂの形成位置を残して、光不透過材料を印刷などを用いて塗布、硬化して形成されている。一対のパターンパネル体１３ａ，１３ｂは、意匠面パネル１２の裏面に、矢印７ａ，７ｂの透光性パターンが逆向きとなるように、並んで、かつ互いに離間して配設される。そして、一対の着色パネル１５ａ，１５ｂが、一対のパターンパネル体１３ａ，１３ｂのそれぞれの裏面に重ねられて、互いに離間して配設される。さらに、遮光部材１６が、重ねられたパターンパネル体１３ａと着色パネル１５ａの積層体と、重ねられたパターンパネル体１３ｂと着色パネル１５ｂの積層体との間に配設される。
【００３４】
なお、実施の形態２では、パターンパネル１３に替えてパターンパネル体１３ａ，１３ｂを用いている点を除いて、上記実施の形態１と同様に構成されている。
【００３５】
このように構成された表示部１１Ａでは、遮光部材１６が、重ねられたパターンパネル体１３ａと着色パネル１５ａの積層体と、重ねられたパターンパネル体１３ｂと着色パネル１５ｂの積層体との間に配設されているので、パターンパネル体１３ａ，１３ｂ間の光路が遮断され、着色パネル１５ａ，１５ｂ間の光路が遮断される。
【００３６】
そこで、図１１に示されるように、光源１８ａから着色パネル１５ａ内の仕切り板２０側に入射した光は、着色パネル１５ａの表面と裏面（光不透過部１４）との間で反射を繰り返しながら、消灯している光源１８ｂ側に移動しようとする。しかし、着色パネル１５ａ，１５ｂ間に配設されている遮光部材１６が、消灯している光源１８ｂ側、すなわち着色パネル１５ｂ側への光の移動を阻止する。
【００３７】
また、光源１８ａから着色パネル１５ａ内に入射し、光不透過部１４のない領域（矢印７ａ）を通過した光のほとんどが、パターンパネル体１３ａおよび意匠面パネル１２を通過する。そして、光不透過部１４のない領域（矢印７ａ）を通過した光の一部が、パターンパネル体１３ａの表面と裏面との間で反射を繰り返しながら、消灯している光源１８ｂ側に移動しようとする。しかし、パターンパネル体１３ａ，１３ｂ間に配設されている遮光部材１６が、消灯している光源１８ｂ側、すなわちパターンパネル体１３ｂ側への光の移動を阻止する。
【００３８】
このように、実施の形態２によれば、光漏れ現象の発生に大きく寄与する着色パネル１５ａから着色パネル１５ｂ側（消灯している光源１８ｂ側）への光の移動のみならず、パターンパネル体１３ａからパターンパネル体１３ｂ側（消灯している光源１８ｂ側）への光の移動を確実に阻止できるので、表示部１１に表示される透光性パターンがより明確となり、利用者に表示内容を明確に知らせることができる。
【００３９】
なお、上記各実施の形態では、エスカレータに適用するものとして説明しているが、本発明は、エスカレータ以外のマンコンベア、例えば動く歩道に適用しても、同様の効果が得られる。
【００４０】
また、上記各実施の形態では、エスカレータの運転方向を示す矢印の透光性パターンを表示する表示装置について説明しているが、表示される透光性パターンは、エスカレータの運転方向を示す矢印パターンに限定されず、例えば、エスカレータの利用上の注意事項、売り場案内、店舗のシンボルマークなどでもよい。
また、上記各実施の形態では、表示される透光性パターンが２つの場合について説明しているが、透光性パターンは２つに限定されず、３つ以上であってもよい。
【００４１】
また、上記各実施の形態では、表示部が欄干パネルの乗降口側に配設されている場合について説明しているが、表示部は欄干パネルの乗降口と逆側に配設されてもよい。この場合、利用者が遠くからエスカレータの運転方向を確認することができるので、利用者がエスカレータの乗降口まで行って初めて運転方向が違っていることに気付くような事態の発生を未然に回避することができる。
【００４２】
また、上記各実施の形態では、アクリル板で作製されている意匠面パネル、パターンパネルおよび着色パネルを用いているが、意匠面パネル、パターンパネルおよび着色パネルの材料は、アクリル板に限定されず、透光可能な材料であればよい。
【符号の説明】
【００４３】
５  欄干パネル、７ａ，７ｂ  矢印（透光性パターン）、１０  表示装置、１１，１１Ａ  表示部、１２  意匠面パネル、１３  パターンパネル、１３ａ，１３ｂ  パターンパネル体、１５ａ，１５ｂ  着色パネル、１６  遮光部材、１８ａ，１８ｂ  光源、２０  仕切り板。
【図１】
2014227280.tif 000003
【図２】
2014227280.tif 000004
【図３】
2014227280.tif 000005
【図４】
2014227280.tif 000006
【図５】
2014227280.tif 000007
【図６】
2014227280.tif 000008
【図７】
2014227280.tif 000009
【図８】
2014227280.tif 000010
【図９】
2014227280.tif 000011
【図１０】
2014227280.tif 000012
【図１１】
2014227280.tif 000013